(57)【特許請求の範囲】
【請求項１】
血圧値用の目盛りが円周状に刻まれている血圧表示盤に対して、血圧値を表示する指示針が回転し、該指示針が指示する前記目盛りによって前記血圧値を視認可能な血圧値表示装置であって、
最高血圧状態に基づいて最高血圧指示を実行する最高血圧指示部と、
最低血圧状態に基づいて最低血圧指示を実行する最低血圧指示部と、
計測対象に対する加圧状態と連動して回転すると共に、前記最高血圧指示部からの最高血圧指示に基づいて停止可能とされ、前記目盛りによって最高血圧値を静止表示する高血圧側指示針と、
計測対象に対する加圧状態と連動して回転すると共に、前記最低血圧指示部からの最低血圧指示に基づいて停止可能とされ、前記目盛りによって最低血圧値を静止表示する低血圧側指示針と、
前記目盛りに沿って周方向に配置され、前記高血圧側指示針が指し示す最高血圧値の意義を判断するための高血圧側数値領域と、
前記目盛りに沿って周方向に配置され、前記低血圧側指示針が指し示す最低血圧値の意義を判断するための低血圧側数値領域と、を備え、
前記高血圧側指示針が長針であって、前記低血圧側指示針が短針であり、
前記高血圧側数値領域に対して、前記低血圧側数値領域が内周側に表示されており、長針となる前記高血圧側指示針の先端が前記高血圧側数値領域内に位置し、且つ前記低血圧側数値領域内には位置しないように設定されると共に、短針となる前記低血圧側指示針の先端が前記低血圧側数値領域内に位置し、且つ前記高血圧側数値領域内には位置しないように設定され、
前記高血圧数値領域における前記高血圧側指示針の先端の停止位置と、前記低血圧側数値領域における前記低血圧側指示針の先端の停止位置によって、血圧測定結果を視覚的に判断可能としたことを特徴とする血圧値表示装置。
【請求項２】
請求項１において、
前記最高血圧指示部及び前記最低血圧指示部は、前記最高血圧指示または前記最低血圧指示を実行する場合に測定者によって操作される操作ボタンを兼用していることを特徴とする血圧値表示装置。
【請求項３】
請求項１又は２において、
前記高血圧側数値領域及び低血圧側数値領域が、それぞれ、高領域・中領域・低領域の少なくとも３種類の領域に区分けされていることを特徴とする血圧値表示装置。
【請求項４】
請求項３において、
前記高血圧側数値領域が、前記高領域において更に、ステージ１・ステージ２・ステージ３の少なくとも３種類の領域に区分けされていることを特徴とする血圧値表示装置。
【請求項５】
請求項１乃至４のいずれかにおいて、更に、
前記高血圧値指示針又は前記低血圧側指示針の一方に固定され、停止した該高血圧側指示針及び該低血圧側指示針の相対角度差に基づいて、最高血圧と最低血圧の血圧差を認識可能な血圧差表示手段を備えることを特徴とする血圧値表示装置。
【請求項６】
請求項１乃至５のいずれかにおいて、更に、
計測対象に対する加圧状態と連動して回転する回転基本軸と、
前記回転基本軸と前記高血圧側指示針を連動させる高血圧側連動機構と、
前記回転基本軸と前記低血圧側指示針を連動させる低血圧側連動機構と、
前記最高血圧指示部の前記最高血圧指示に基づいて前記高血圧側連動機構の連動状態を解除する高血圧側連動解除機構と、
前記最低血圧指示部の前記最低血圧指示に基づいて前記低血圧側連動機構の連動状態を解除する低血圧側連動解除機構と、
を備えることを特徴とする血圧値表示装置。
【請求項７】
請求項６において、
前記高血圧側連動機構が、
前記高血圧側指示針に対して前記回転基本軸が血圧増加側に相対回転する際に、該高血圧側指示針と該回転基本軸を連動させる高血圧側一方向係合手段と、
前記高血圧側指示針の血圧増大側の回転に抗するように、該高血圧側指示針を血圧低下側に回転付勢する高血圧側付勢手段と、を備えると共に、
前記低血圧側連動機構が、
前記低血圧側指示針に対して前記回転基本軸が血圧増加側に相対回転する際に、該低血圧側指示針と該回転基本軸を連動させる低血圧側一方向係合手段と、
前記低血圧側指示針の血圧増大側の回転に抗するように、該低血圧側指示針を血圧低下側に回転付勢する低血圧側付勢手段と、を備えるようにし、
前記高血圧側連動解除機構が、
前記高血圧側指示針と係合して該高血圧側指示針の回転を停止させる高血圧側ブレーキ手段を備えると共に、
前記低血圧側連動解除機構が、
前記低血圧側指示針と係合して該低血圧側指示針の回転を停止させる低血圧側ブレーキ手段を備える
ことを特徴とする血圧値表示装置。
【請求項８】
請求項６又は７において、更に、
前記高血圧側連動機構と及び前記低血圧側連動機構の連動状態を同時に解除し、前記高血圧側指示針及び前記低血圧側指示針を初期位置まで回転させるリセット機構を備えることを特徴とする血圧値表示装置。
【請求項９】
請求項８において、前記リセット機構が、
前記回転基本軸が零点近傍に位置する際に、前記高血圧側連動機構及び前記低血圧側連動機構に対して前記回転基本軸を軸方向に相対移動させて強制開放する軸方向移動手段を備えることを特徴とする血圧値表示装置。
【請求項１０】
請求項１乃至５のいずれかにおいて、
前記高血圧側指示針及び前記低血圧側指示針が、画像表示手段によって映し出される映像から構成されることを特徴とする血圧値表示装置。
【請求項１１】
計測対象の血圧値を測定する血圧測定装置であって、
請求項１乃至１０のいずれかに記載の血圧値表示装置と、
計測対象に対して加減圧を行う圧力制御手段と、を備えるようにし、
前記血圧値表示装置が、更に、前記圧力制御手段によって前記計測対象に印加されている圧力値を検出する検出手段を設けるようにしたことを特徴とする血圧測定装置。
【請求項１２】
請求項１乃至１０のいずれかに記載の血圧値表示装置を用いる血圧値表示方法であって、
最高血圧状態に基づいて最高血圧指示を実行する最高血圧指示ステップと、
最低血圧状態に基づいて最低血圧指示を実行する最低血圧指示ステップと、
計測対象に対する加圧状態と連動して、長針である前記高血圧側指示針を回転させると共に、前記最高血圧指示に基づいて該高血圧側指示針を停止させ、該高血圧側指示針が指し示す前記目盛りによって最高血圧値を静止表示すると共に、該高血圧側指示針の先端の前記高血圧側数値領域における停止位置によって前記最高血圧値の意義を表示する最高血圧表示ステップと、
計測対象に対する加圧状態と連動して、短針である前記低血圧側指示針を回転させると共に、前記最低血圧指示に基づいて該低血圧側指示針を停止させ、該低血圧側指示針が指し示す前記目盛りによって最低血圧値を静止表示すると共に、該低血圧側指示針の先端の前記低血圧側数値領域における停止位置によって前記最低血圧値の意義を表示する最低血圧表示ステップと、
を有することを特徴とする血圧値表示方法。
【発明の詳細な説明】
【技術分野】
【０００１】
本発明は、血圧を計測する血圧計測装置に用いられる血圧値表示装置等に関するものである。
【背景技術】
【０００２】
従来、血圧計測装置として、水銀の上昇レベルによって計測する水銀柱式や、ダイヤフラム等によって機械的に計測するアネロイド式、電気的な各種制御機器を用いて計測する電気式など、様々な種類のものが開発されている。これらの血圧計測装置には、血圧値を視覚的に把握できるようにする血圧値表示装置が搭載されるが、この血圧表示装置としては、例えば指示針式や数値表示式等が存在する。指示針式は、血圧値用の目盛りが円周状に刻まれている血圧表示盤に対して指示針が相対回転し、この指示針が指示する目盛りの位置によって血圧値を把握するものである。一方、数値表示式は、具体的な血圧値が直接的にデジタル表示されるものである。電子化が進展した近年では、血圧値が具体的な数字で示される数値表示式が普及してきている。数値表示式の血圧値表示装置は、「最高血圧１１０ｍｍＨｇ、最低血圧７０ｍｍＨｇ」等の具体的な数値が瞬時に明らかにできる点では利便性が高い。
【０００３】
アネロイド式の血圧計測装置には、指示針式の血圧値表示装置が用いられる場合が多い。血圧値を計測する場合、まず、測定対象の上腕の周径に対し適切な幅を持つカフを装着し、肘関節屈側中央に聴診器を当てながら、ポンプによってカフ内に空気を導入することでカフ圧（印加圧）を上昇させ、その後、血圧値表示装置（メーター）を見ながらゆっくりカフ圧を下げていく。血圧値表示装置の指示針は、このカフ圧と連動して血圧値の増大方向に回転した後、ゆっくりと減少方向に回転する。そして、最初に拍動音が聴こえた瞬間が最高血圧となるので、指示針を確認してその目盛り読み、頭の中に記憶しておく。その後更にカフ圧を下げていくと、拍動音が聞こえなくなるので、その瞬間に指示針を確認してその目盛りを読み、最低血圧として記憶しておく。この最高血圧値と最低血圧値をメモ等に書き出すことで、計測が完了することになる。
【発明の開示】
【発明が解決しようとする課題】
【０００４】
しかしながら、この種のアネロイド式の血圧計測装置は、刻々と変動する指示針をしっかりと確認しながら、最高血圧と最低血圧を頭に記憶しなければならないので、途中でその数値を忘れてしまう等のトラブルもあり、必ずしも使い勝手が良い訳ではなかった。
【０００５】
一方、数値表示式の血圧値表示装置は、表示された血圧値を頭の中で理解し、一般的な基準値と比較することで、その数値の良し悪しを判断しなければならないので、血圧値の分析に時間がかかるという問題があった。例えば、異分野であるが、時刻を表示する時計や、速度を示す車載用のスピードメーターの分野でも、視覚的に把握できる指示針式の表示装置も依然として多く利用されている。これは、具体的な数値よりも針の角度を用いて表示した方が、素早く、そして感覚的（視覚的）に理解できるというメリットがあるからである。従って、指示針式は、上記問題点を有するにもかかわらず、依然として多くの血圧計測装置で利用されているのが実情であった。
【０００６】
本発明は上記問題点に鑑みてなされており、指示針式の血圧値表示装置等において、計測時の利便性を大幅に高め、指示針式の本来の利点を向上させることを目的としている。
【課題を解決するための手段】
【０００７】
本発明者は、以下の手段によって上記目的を達成するようにした。
【０００８】
（１）血圧値用の目盛りが円周状に刻まれている血圧表示盤に対して、血圧値を表示する指示針が回転し、該指示針が指示する前記目盛りによって前記血圧値を視認可能な血圧値表示装置であって、最高血圧状態に基づいて最高血圧指示を実行する最高血圧指示部と、最低血圧状態に基づいて最低血圧指示を実行する最低血圧指示部と、計測対象に対する加圧状態と連動して回転すると共に、前記最高血圧指示部からの最高血圧指示に基づいて停止可能とされ、前記目盛りによって最高血圧値を静止表示する高血圧側指示針と、計測対象に対する加圧状態と連動して回転すると共に、前記最低血圧指示部からの最低血圧指示に基づいて停止可能とされ、前記目盛りによって最低血圧値を静止表示する低血圧側指示針と、前記目盛りに沿って周方向に配置され、前記高血圧側指示針が指し示す最高血圧値の意義を判断するための高血圧側数値領域と、前記目盛りに沿って周方向に配置され、前記低血圧側指示針が指し示す最低血圧値の意義を判断するための低血圧側数値領域と、を備え、前記高血圧側指示針が長針であって、前記低血圧側指示針が短針であり、前記高血圧側数値領域に対して、前記低血圧側数値領域が内周側に表示されており、長針となる前記高血圧側指示針の先端が前記高血圧側数値領域内に位置し、且つ前記低血圧側数値領域内には位置しないように設定されると共に、短針となる前記低血圧側指示針の先端が前記低血圧側数値領域内に位置し、且つ前記高血圧側数値領域内には位置しないように設定され、前記高血圧数値領域における前記高血圧側指示針の先端の停止位置と、前記低血圧側数値領域における前記低血圧側指示針の先端の停止位置によって、血圧測定結果を視覚的に判断可能としたことを特徴とする血圧値表示装置。
【０００９】
（２）上記（１）において、前記最高血圧指示部及び前記最低血圧指示部は、前記最高血圧指示または前記最低血圧指示を実行する場合に測定者によって操作される操作ボタンを兼用していることを特徴とする血圧値表示装置。
【００１０】
（３）上記（１）又は（２）において、前記高血圧側数値領域及び低血圧側数値領域が、それぞれ、高領域・中領域・低領域の少なくとも３種類の領域に区分けされていることを特徴とする血圧値表示装置。
【００１１】
（４）上記（３）において、前記高血圧側数値領域が、前記高領域において更に、ステージ１・ステージ２・ステージ３の少なくとも３種類の領域に区分けされていることを特徴とする血圧値表示装置。
【００１２】
（５）上記（１）乃至（４）のいずれかにおいて、更に、前記高血圧値指示針又は前記低血圧側指示針の一方に固定され、停止した該高血圧側指示針及び該低血圧側指示針の相対角度差に基づいて、最高血圧と最低血圧の血圧差を認識可能な血圧差表示手段を備えることを特徴とする血圧値表示装置。
【００１３】
（６）上記（１）乃至（５）のいずれかにおいて、更に、計測対象に対する加圧状態と連動して回転する回転基本軸と、前記回転基本軸と前記高血圧側指示針を連動させる高血圧側連動機構と、前記回転基本軸と前記低血圧側指示針を連動させる低血圧側連動機構と、前記最高血圧指示部の前記最高血圧指示に基づいて前記高血圧側連動機構の連動状態を解除する高血圧側連動解除機構と、前記最低血圧指示部の前記最低血圧指示に基づいて前記低血圧側連動機構の連動状態を解除する低血圧側連動解除機構と、を備えることを特徴とする血圧値表示装置。
【００１４】
（７）上記（６）において、前記高血圧側連動機構が、前記高血圧側指示針に対して前記回転基本軸が血圧増加側に相対回転する際に、該高血圧側指示針と該回転基本軸を連動させる高血圧側一方向係合手段と、前記高血圧側指示針の血圧増大側の回転に抗するように、該高血圧側指示針を血圧低下側に回転付勢する高血圧側付勢手段と、を備えると共に、前記低血圧側連動機構が、前記低血圧側指示針に対して前記回転基本軸が血圧増加側に相対回転する際に、該低血圧側指示針と該回転基本軸を連動させる低血圧側一方向係合手段と、前記低血圧側指示針の血圧増大側の回転に抗するように、該低血圧側指示針を血圧低下側に回転付勢する低血圧側付勢手段と、を備えるようにし、前記高血圧側連動解除機構が、前記高血圧側指示針と係合して該高血圧側指示針の回転を停止させる高血圧側ブレーキ手段を備えると共に、前記低血圧側連動解除機構が、前記低血圧側指示針と係合して該低血圧側指示針の回転を停止させる低血圧側ブレーキ手段を備えることを特徴とする血圧値表示装置。
【００１５】
（８）上記（６）又は（７）において、更に、前記高血圧側連動機構と及び前記低血圧側連動機構の連動状態を同時に解除し、前記高血圧側指示針及び前記低血圧側指示針を初期位置まで回転させるリセット機構を備えることを特徴とする血圧値表示装置。
【００１６】
（９）上記（８）において、前記リセット機構が、前記回転基本軸が零点近傍に位置する際に、前記高血圧側連動機構及び前記低血圧側連動機構に対して前記回転基本軸を軸方向に相対移動させて強制開放する軸方向移動手段を備えることを特徴とする血圧値表示装置。
【００１７】
（１０）上記（１）乃至（５）のいずれかにおいて、前記高血圧側指示針及び前記低血圧側指示針が、画像表示手段によって映し出される映像から構成されることを特徴とする血圧値表示装置。
【００１８】
（１１）計測対象の血圧値を測定する血圧測定装置であって、上記（１）乃至（１０）のいずれかに記載の血圧値表示装置と、計測対象に対して加減圧を行う圧力制御手段と、を備えるようにし、前記血圧値表示装置が、更に、前記圧力制御手段によって前記計測対象に印加されている圧力値を検出する検出手段を設けるようにしたことを特徴とする血圧測定装置。
【００１９】
（１２）上記（１）乃至（１０）のいずれかに記載の血圧値表示装置を用いる血圧値表示方法であって、最高血圧状態に基づいて最高血圧指示を実行する最高血圧指示ステップと、最低血圧状態に基づいて最低血圧指示を実行する最低血圧指示ステップと、計測対象に対する加圧状態と連動して、長針である前記高血圧側指示針を回転させると共に、前記最高血圧指示に基づいて該高血圧側指示針を停止させ、該高血圧側指示針が指し示す前記目盛りによって最高血圧値を静止表示すると共に、該高血圧側指示針の先端の前記高血圧側数値領域における停止位置によって前記最高血圧値の意義を表示する最高血圧表示ステップと、計測対象に対する加圧状態と連動して、短針である低血圧側指示針を回転させると共に、前記最低血圧指示に基づいて該低血圧側指示針を停止させ、該低血圧側指示針が指し示す前記目盛りによって最低血圧値を静止表示すると共に、該低血圧側指示針の先端の前記低血圧側数値領域における停止位置によって前記最低血圧値の意義を表示する最低血圧表示ステップと、を有することを特徴とする血圧値表示方法。
【発明の効果】
【００２０】
本発明によれば、血圧計測の際の利便性を向上させることができ、計測結果の分析・検討が短時間で可能になる。
【発明を実施するための最良の形態】
【００２１】
図１には、本発明の第１実施形態に係る血圧計測装置１の全体構成が示されている。この血圧計測装置１は、血圧値表示装置１０、カフ１２、ポンプ１４、供給管１６、計測管１８を備える。カフ１２は、ゴムや合成樹脂等によって構成された袋状の部材であって、内部に空気を導入することで膨らむようになっている。このカフ１２は、例えば、人の上腕近傍にしっかりと巻きつけられて、自らが膨張することで血管を圧迫し、阻血する機能を有している。ポンプ１４は、ゴム製の供給管１６を介してカフ１２と接続され、カフ１２に空気を供給することでカフ圧を高める。具体的に、ポンプ１４は、内部に空気溜め用の空間を有する球形状のポンプ部１４Ａと、バルブの開閉によって供給管１６内の圧力を開放する圧力調整機構１４Ｂを備えている。ポンプ部１４Ａを手動で収縮させると、内部の空気が供給管１６を介してカフ１２内に供給されてカフ圧を上昇させる。一度上昇したカフ圧は、圧力調整機構１４Ｂを開放しない限り維持される。この圧力調整機構１４Ｂを開放すると、カフ１２内の空気が排気されることによって、カフ圧が低下する。計測管１８は、カフ１２と血圧値表示装置１０を連結するものである。
【００２２】
図２は、血圧値表示装置１０の上面図である。この血圧値表示装置１０は、円筒状の外部ケーシング２０、該外部ケーシング２０の上面に配置される透明樹脂カバー２２、透明樹脂カバー２２の内側に平行に配置される血圧表示盤２４、この血圧表示盤２４上を回転・停止して最高血圧値を静止表示する高血圧側指示針２６、同血圧表示盤２４上を回転・停止して最低血圧値を静止表示する低血圧側指示針２８を備える。両指示針間では、高血圧側指示針２６が長針、低血圧側指示針２８が短針となるように長さが設定されている。
【００２３】
血圧表示盤２４は、血圧値用の目盛り２４Ａが円周方向に刻まれており、指示針２６、２８が指示する目盛り２４Ａの数値によって血圧値を視認可能となっている。なお、ここでは、ｍｍＨｇ（ミリメートル水銀柱）を単位として、０ｍｍＨｇから３００ｍｍＨｇまで範囲内で２０ｍｍＨｇ毎に目盛り２４Ａが刻まれており、その範囲内の血圧値の計測が可能となっている。
【００２４】
更に、血圧表示盤２４には、高血圧側数値領域２４Ｂ及び低血圧側数値領域２４Ｃが、目盛り２４Ａに沿って表示されている。高血圧側数値領域２４Ｂは最高血圧値の意義を判断するための目盛りであり、特に図示しない色彩の違いによって、高領域Ａ１、中領域Ｂ１、低領域Ｃ１の３種類に区分される。この高領域Ａ１、中領域Ｂ１、低領域Ｃ１の３種類の区分はＷＨＯの高血圧分類に基づいて設定されており、例えば、低領域Ｃ１は１２０ｍｍＨｇ以上且つ１３０ｍｍＨｇ未満であって正常領域とされ、中領域Ｂ１は１３０ｍｍＨｇ以上且つ１３９ｍｍＨｇ以下であって境界領域とされ、高領域Ａ１は１４０ｍｍＨｇ以上であって高血圧領域とされる。従って、高血圧側指示針２６が高領域Ａ１、中領域Ｂ１、低領域Ｃ１のどの領域で停止するかによって、高血圧値の結果（意義）を視覚的に判断できる。なお、ここでは特に図示しないが、高領域Ａ１（高血圧領域）は、更に、ステージ１（１４０ｍｍＨｇ〜１５９ｍｍＨｇ）、ステージ２（１６０ｍｍＨｇ〜１７９ｍｍＨｇ）、ステージ３（１８０ｍｍＨｇ以上）というように小分類に分割して、より詳細に把握できるようにすることの好ましい。
【００２５】
同様に、低血圧側数値領域２４Ｃは最低血圧値の意義を判断するための目盛りであり、色彩の違いによって高領域Ａ２、中領域Ｂ２、低領域Ｃ２の３種類に区分される。従って、低血圧側指示針２８が高領域Ａ２、中領域Ｂ２、低領域Ｃ２のどの領域で停止するかによって、低血圧値の結果（意義）を視覚的に判断できる。
【００２６】
例えば、高領域Ａ１の場合は、その最高血圧が高すぎる結果を意味し、中領域Ｂ１の場合は最高血圧が境界範囲であるという結果を意味し、低領域Ｃ１の場合はその血圧値が正常であるという結果を意味する。また、高領域Ａ２の場合は、その最低血圧が高すぎる結果を意味し、中領域Ｂ２の場合はその最低血圧が境界範囲であるという結果を意味し、低領域Ｃ２の場合はその最低血圧値が正常であるという結果を意味する。なお、ここでは特に図示しないが、高血圧側指示針２６の先端は高血圧側数値領域２４Ｂの範囲内、低血圧側指示針２８の先端は低血圧側数値領域２４Ｃの範囲内に位置するように調整することも望ましい。また、本実施例では高血圧側数値領域２４Ｂ及び低血圧側数値領域２４Ｃを３種類に区分する場合を示したが、目的に応じて、４種類以上に区分しても良い。
【００２７】
外部ケーシング２０の外周側には、停止ボタン３０とリセットボタン３２が設けられている。計測作業者の手によって、停止ボタン３０について１回目のボタン押動作を実行すると、この停止ボタン３０が最高血圧指示部として機能し、最高血圧指示を実行したことになる。最高血圧指示を実行した場合、高血圧側指示針２６が停止して最高血圧値が静止表示される。また、１回目のボタン押し動作に連続して、２回目のボタン押動作を実行すると、最低血圧指示部による最低血圧指示を実行したことになる。最低血圧指示を実行した場合、低血圧側指示針２８が停止して最低血圧値が静止表示される。
【００２８】
リセットボタン３２を押すと、リセット機構が起動して、静止している高血圧側指示針２６及び低血圧側指示針２８が０ｍｍＨｇまで回転して初期状態にリセットされる。
【００２９】
図３は、血圧値表示装置１０の内部構成を示す断面図である。
【００３０】
円筒状の外部ケーシング２０の内部は、筒の軸方向に向かって順に、最下層４０、中間層４２、上位層４４、表示層４６の４階層構造になっており、最下層４０を構成するベースプレート５０、最下層４０と中間層４２を仕切る第１仕切りプレート５２、中間層４２と上位層４４を仕切る第２仕切りプレート５４を備える。なお、上位層４４と表示層４６は血圧表示盤２４によって仕切られている。ベースプレート５０には、カフ１２から計測管１８を介して圧縮空気を内部に導入するための導入孔５０Ａが形成されている。
【００３１】
図４に示されるように、最下層４０におけるベースプレート５０側には、ダイヤフラム６０が一体的に形成されている。このダイヤフラム６０は、燐青銅やアルミやステンレス等のバネ素材を用いた円形の板部材を、周方向に沿って交互に折り曲げて蛇腹状にし、それをベースプレート５０に固定することで構成される。従って、導入孔５０Ａを介してダイヤフラム６０の内部に空気が導入されると、その空気の圧力によってダイヤフラム６０が膨張し、その中央に形成されている検出エリア６０Ａが上昇する。この上昇距離は、ダイヤフラム６０の内圧に比例するように設計されており、この上昇距離を検出すれば、カフ圧の変動を検出できるようになっている。
【００３２】
図３に戻って、最下層４０における第１仕切りプレート５２側には、変換軸６２が回転自在に保持されている。具体的に、第１仕切りプレート５２には、２個の針状の保持ピン６４が固定されており、この２個の保持ピン６４の各先端が、変換軸６２の端部を保持している。
【００３３】
図５に示されるように、変換軸６２には、ダイヤフラム６０の検出エリア６０Ａと接触する第１突起６２Ａと、第１仕切りプレート５２に形成される開口５２Ａを貫通して中間層４２に突出する第２突起６２Ｂが形成されている。従って、ダイヤフラム６０の検出エリア６０Ａが上昇すると、第１突起６２Ａが押し上げられることにより変換軸６２が回転し、この回転と連動するように、中間層４２側に位置する第２突起６２Ｂが揺動する。
【００３４】
中間層４２における第１仕切りプレート５２には支柱６６が設置されており、この支柱６６によって、揺動部分歯車６８が保持されている。詳細には、この揺動部分歯車６８の一端が支柱６６に回転自在に保持されることで、第１仕切りプレート５２の面方向に揺動自在となっている。また揺動部分歯車６８の他端側には、支柱６６を中心とした部分円弧に沿うようにして、ラックギア６８Ａが形成されている。この揺動部分歯車６８は第２突起６２Ｂと接触しており、第２突起６２が矢印Ｘ１方向（即ち揺動方向）に移動すると、この第２突起６２に付勢されるようにして揺動部分歯車６８が矢印Ｘ２方向に揺動する構造である。
【００３５】
中間層４２における第１仕切りプレート５２の中心には、外部ケーシング２０と同軸状となるようにスライド軸７０が固定されており、このスライド軸７０に対して、スライド歯車７２が、回動自在且つ軸方向に摺動自在に装着されている。このスライド歯車７２は、揺動部分歯車６８のラックギア６８Ａと噛合されているので、揺動部分歯車６８が矢印Ｘ２方向に揺動すると、スライド歯車７２が矢印Ｘ３方向に回転する。一方、スライド歯車７２には渦巻きばね７４が設置されており、揺動部分歯車６８による駆動方向Ｘ３と反対方向に付勢している。従って、ダイヤフラム６０が収縮して初期状態に戻り、その結果、第２突起６２Ｂが矢印Ｘ１と反対方向に戻る場合には、この渦巻きばね７４を動力源としてスライド歯車７２が矢印Ｘ３と反対方向に積極的に回転し、揺動部分歯車６８を元の状態に押し戻す。このようにして、ダイヤフラム６０の動きとスライド歯車７２の回転とが常に連動するようにしている。
【００３６】
スライド歯車７２と第１仕切りプレート５２の間には、ばね７６が装着されており、このばね７６が、スライド歯車７２を常に上方（上位層４４側）に付勢するようになっている。このスライド歯車７０の上面（上位層４４側面）には回転基本軸７８が一体且つ同軸状に設けられている。従って、ばね７６によってこの回転基本軸７８も上方に付勢されることになる。また、スライド歯車７２の上面（第２仕切りプレート５４側の面）には、リセット突起７２Ａが形成されており、第２仕切りプレート５４の中間層４２側に形成されるリセットカム９０と係合可能となっている。なお、回転基本軸７８は、第２仕切りプレート５４の中央に形成される開口を介して上位層４４側に突出している。
【００３７】
図３に戻って、上位層４４に突出している回転基本軸７８の上端側には、第１係合部材８０及び第２係合部材８２が一体且つ同軸状に形成されている。第１及び第２係合部材８０、８２は部分円錐形状であり、回転基本軸７８（即ちスライド歯車７２）と共に回転するようになっている。この第１係合部材８０の最小径と比較して、第２係合部材８０の最大径が小さくなるように設定されている。このようにしたのは、組み立ての容易化を図ると共に、両係合部材が軸方向に移動する際の干渉を避けるためである。
【００３８】
第１係合部材８０には第１駆動体９０が係合可能となっており、又第２係合部材８２には第２駆動体１００が係合可能となっている。この結果、第１及び第２係合部材８０、８２が回転すると、それに連動して、第１駆動体９０及び第２駆動体１００も回転する。なお詳細には、第１及び第２係合部材８０、８２の外周側の傾斜面と、第１駆動体９０及び第２駆動体１００の内周側の傾斜面が当接することで、その摩擦力によって両者が一体化されるようにしている。
【００３９】
図６に示されるように、スライド歯車７２が回転することによって、リセットカム９０とリセット突起７２Ａが係合すると、このリセットカム９０がリセット突起７２Ａを下方に押し下げるので、リセット歯車７２、回転基本軸７８、第１係合部材８０、第２係合部材８２の全体が、ばね７６の付勢力に抗して押し下げられるようになっている。この結果、第１駆動体９０及び第２駆動体１００から、第１係合部材８０及び第２係合部材８２が離脱して、両者の係合状態が開放される。なお、リセットカム９０とリセット突起７２Ａは、ダイヤフラム６０内の圧力が初期状態（リセット状態）となる場合に係合するように設定されている。つまり、ダイヤフラム６０が膨張し、回転基本軸７８の回転が開始すると、カムの係合が解除されて回転基本軸７８が上昇し、第１駆動体９０及び第２駆動体１００と第１係合部材８０及び第２係合部材８２が連結されて一体回転するようになっている。一方、ダイヤフラム６０が収縮して、回転基本軸７８が逆回転し、初期位置まで戻ると、カムが係合して、第１駆動体９０及び第２駆動体１００と第１係合部材８０及び第２係合部材８２の連結状態が解除される。
【００４０】
上位層４４に配置される第１駆動体９０は、図６〜図８に示されるように、第１係合部材８０と係合可能な第１ベアリング９１と、この第１ベアリング９１の外輪と一体化されている第１ブレーキリング９２と、第１ブレーキリング９２に対して所定の間隔を空けて配置されて高血圧側指示針２６を回転自在に保持する円筒状の第１保持筒９３と、この第１保持筒９３と第１ブレーキリング９２を連結する連動梁９４とを備える。第１ベアリング９１は、一方向回転タイプ（例えばラチェット構造）であり、第１ブレーキリング９２を基準として第１係合部材８０が血圧値の増大方向側に相対回転しようとする際に、その内外輪が一体回転して両者を連動させる。一方、第１ブレーキリング９２を基準として第１係合部材８０が血圧値の減少方向側に相対回転しようとする際には、第１係合部材８０側のみが優先的に回転できるようになっている。
【００４１】
第１ブレーキリング９２の外周面には、第１ブレーキバッド９５が適宜接触するようになっており、その摩擦力によって、この第１ブレーキリング９２の回転が強制的に停止されるようにしている。更に、この第１ブレーキリング９２には、第１渦巻きばね９６が連結されており、常に、第１ブレーキリング９２を、血圧値の減少方向側に回転付勢している。第１保持筒９３は、血圧表示盤２４に形成される開口によって回転自在に保持されている。連動梁９４は、径方向断面が逆Ｌ字状となる部材であって、一端は第１保持筒９３の外周面側に連結され、他端はブレーキリング９２の外周縁近傍に連結されている。この結果、第１ブレーキリング９２と第１保持筒９３の間に、第２駆動体１００を挿入可能な隙間を確保しながらも、第１ブレーキリング９２及び第１保持筒９３が一体回転可能となっている。なお、図７等に示されるように、連動梁９４の周方向の幅を、第１ブレーキリング９２の全周ではなく、約２０度程度の部分的な角度範囲に設定したのは、この第１駆動体９０が回転した際に、後述する第２駆動体１００のブレーキ動作や渦巻きばねとの干渉を避けるためである。
【００４２】
第２駆動体１００は、第２係合部材８２と係合可能な第２ベアリング１０１と、この第２ベアリング１０１の外輪と一体化されている第２ブレーキリング１０２と、第２ブレーキリング１０２と同軸且つ一体的に配置されて低血圧側指示針２８を回転自在に保持する円筒状の第２保持筒１０３とを備える。第２ベアリング１０１は、ワンウェイタイプであり、第２ブレーキリング１０２を基準として第２係合部材８２が血圧値の増大方向側に相対回転しようとする際に、その内外輪が一体回転して両者を連動させ、一方、第２ブレーキリング１０２を基準として第２係合部材８２が血圧値の減少方向側に相対回転しようとする際には、第２係合部材８２側が優先的に回転するようになっている。
【００４３】
第２ブレーキリング１０２の外周面には、第２ブレーキバッド１０５が配置されており、両者が適宜接触することによって、この第２ブレーキリング１０２の回転を停止できるようになっている。更に、この第２ブレーキリング１０２には、第２渦巻きばね１０６が連結されており、常に、第２ブレーキリング１０２を、血圧値の減少方向側に回転付勢している。第２保持筒１０３は、第１駆動体９０の第１保持筒９３の内周面によって相対回転自在に保持されている。
【００４４】
次に、この血圧計測装置１の動作例について説明する。カフ圧が零の場合、図６に示されるように、血圧値表示装置１０において、第１駆動体９０及び第２駆動体１００に対して、第１係合部材８０及び第２係合部材８２が開放されており、いわゆる初期状態となっている。カフ１２を被験者の上腕に巻きつけ、ポンプ１４によってカフ１２内に空気を送り込みカフ圧を増大させると、血圧表示装置１０におけるダイヤフラム６０が膨張し、変換軸６２を介して揺動部分歯車６８を揺動させ、スライド歯車７２の回転が始まる。その時点で、リセットカム９０とリセット突起７２Ａの係合状態が解除され、スライド歯車７２がばね７６に押されて上方にスライドし、第１駆動体９０及び第２駆動体１００に対して第１係合部材８０及び第２係合部材８２が連結される。その結果、ラチェット構造の第１及び第２ベアリング９１、１０１の内外輪が係合されて、全体が一体回転を開始する。
【００４５】
その結果、図９に示されるように、高血圧側指示針２６と低血圧側指示針２８が同時に回転し、両指示針２６、２８が同じカフ圧を表示することになる。所望のレベルまでカフ圧を増大させた後、ポンプ１４に設置されている圧力調整機構１４Ｂを用いて徐々にカフ圧を下げていくと、それに連動して回転基本軸７８が減少方向に回転する。その際、第１駆動体９０及び第２駆動体１００においては、それぞれ、第１渦巻きばね９６、第２渦巻きばね１０６によって減少方向に回転付勢される結果、回転基本軸７８の減少方向回転よりも先に減少方向に戻ろうとするので、相対的には、高血圧側指示針２６と低血圧側指示針２８よりも回転基本軸７８が増大方向に回転していることとなり、第１及び第２ベアリング９１、１０１のラチェット構造の係合状態は解除されず、高血圧側指示針２６と低血圧側指示針２８も回転基本軸７８と同時に圧力減少側に逆回転する。
【００４６】
上腕から拍動音が聞こえ、最高血圧のタイミングと認識した際には、計測者が停止ボタン３０を押す。その結果、特に図示しない移動機構によって、第１ブレーキパッド９５が第１ブレーキリング９２側に前進して当接し、その摩擦力によって第１駆動体９０の回転が停止する。第１ブレーキリング９２の回転を停止させると、相対的に、第１駆動体９０よりも回転基本軸７８が減少方向に回転することになるので、第１ベアリング９１におけるラチェット機構の係合状態が開放され、第１係合部材８０のみが引き続き減少方向に回転可能となっている。その結果、図１０に示されるように、最高血圧のタイミングで高血圧側指示針２６が停止し、一方、低血圧側指示針２８は実際のカフ圧と連動して、引き続き減少方向に回転することになる。
【００４７】
その後、上腕部からの拍動音が聞こえなくなり、最低血圧のタイミングと認識した際には、計測者が停止ボタン３０を再び押す。その結果、第２ブレーキパッド１０５が第２ブレーキリング１０２側に前進して当接し、その摩擦力によって第２駆動体１００の回転が停止する。第２ブレーキリング１０２の回転を停止させると、第２ベアリング１０１におけるラチェット機構の係合状態が開放され、第２係合部材８２のみが引き続き減少方向に回転するようになっている。結局、図１１に示されるように、最低血圧のタイミングで低血圧側指示針２８が停止する。なお、回転基本軸７８等については、特に図示しないが、実際のカフ圧と連動して引き続き減少方向に回転していることになる。
【００４８】
以上の結果として、最高血圧値と最低血圧値が、静止している高血圧側指示針２６及び低血圧側指示針２８によって視覚的に把握可能となっている。
【００４９】
計測完了後、ポンプ１４の圧力調整機構１４Ｂによって、カフ圧を完全に開放状態（周囲と同じ状態）にして、ダイヤフラム６０を初期状態に戻す。それに連動して、スライド歯車７２が零近傍（初期状態）に戻った際に、リセットカム９０とリセット突起７２Ａが係合することでスライド歯車７２が下方にスライドし、既に図６で示したように、第１駆動体９０及び第２駆動体１００に対して第１係合部材８０及び第２係合部材８２が開放される。この状態で、計測者がリセットボタン３２を押すと、第１ブレーキパッド９５及び第２ブレーキパッド１０５が同時に後退し、第１ブレーキリング９２及び第２ブレーキリング１０２が共に開放される。その結果、第１渦巻きばね９６及び第２渦巻きばね１０６の付勢力によって、第１駆動体９０及び第２駆動体１００が瞬間的に零（初期状態）に戻って、図２の状態にリセットされる。
【００５０】
本実施形態の血圧計測装置１によれば、血圧値表示装置１０において、高血圧側指示針２６と低血圧側指示針２８をそれぞれ停止させて、計測完了後に確認できるようになっているので、計測ミスを防止することができる。それと同時に、針の停止角度によって即座（視覚的）に被計測者の血圧状態を把握することも可能となる。具体的には、停止ボタン３０を押すだけで、第１ブレーキパッド９５及び第２ブレーキパッド１０５による摩擦力によって第１駆動体９０及び第２駆動体１００を個別に停止させることができ、最高血圧と最低血圧の静止表示を可能にしている。また、第１及び第２ベアリング９１、１０１の一方向係合構造（ここではラチェット構造）によって、ブレーキ動作が、基本回転軸８２の回転（圧力値の減少方向の回転）を阻害することを回避して、正確な計測を実現している。
【００５１】
更に、血圧表示盤２４には、高血圧側数値領域２４Ｂ及び低血圧側数値領域２４Ｃが、目盛り２４Ａに沿って表示されているので、高血圧側指示針２６と低血圧側指示針２８の停止領域から、血圧の状態を直感的に把握できるようにしている。特に、高血圧側と低血圧側の数値領域２４Ｂ、２４Ｃが接近した状態で設けられている事から、高血圧側と低血圧側のそれぞれの状態を同時に把握しつつ、両者の相関関係についても検討できるので、血圧の状態を分析する際の利便性を大幅に向上させることが出来る。また、高血圧側指示針２６を長針、低血圧側指示針２８を短針にしつつ、高血圧側数値領域２４Ｂを外周側、低血圧側数値領域２４Ｃを内周側に配置する事で、総じて見やすい状態にできる。また、各数値領域２４Ｂ、２４Ｃ内は３種類の領域に色分けされているので、高血圧値、低血圧値の分析・検討が容易になる。
【００５２】
なお、計測完了後は、カフ圧をゼロにすることで自動的に回転基本軸７８と第１及び第２駆動体９０、１００の係合状態が強制解除され、リセットボタン３２を押す事のみで高血圧側指示針２６と低血圧側指示針２８が簡単に初期状態に回復できるので、高度な表示態様を得ながらも、操作を容易化させることが可能となっている。
【００５３】
次に、本発明の第２実施形態に係る血圧値表示装置２１０について、図１２を参照しながら説明する。なお、この血圧値表示装置２１０の内部構造等については、第１実施形態の血圧値表示装置１０と略同様であるので、図示を省略すると共に、図１２で表示する部品・部材において、血圧値表示装置１０と同一又は類似する部品・部材に関しては、第１実施形態で用いた符号と下２桁を一致させる事で、詳細な説明を省略することとする。
【００５４】
血圧表示盤２２４の目盛り２２４Ａの外周側には、高血圧側数値領域２２４Ｂ及び低血圧側数値領域２２４Ｃが表示されている。詳細には、外部ケーシング２２０の端面にこれらの領域２２４Ｂ、２２４Ｃが形成されている。更に、長針となる高血圧側指示針２２６には、回転軸を中心とした扇形状の血圧差表示プレート２２６Ａが固定されており、高血圧側指示針２２６と一緒に回転するようになっている。
【００５５】
この血圧差表示プレート２２６には、目盛り又は領域表示が形成されており、ここでは、Ａ領域、Ｂ領域、Ｃ領域の色分けによる領域表示が形成されている。この血圧差表示プレート２２６は、高血圧側指示針２２６と低血圧側指示針２２８との角度差、即ち最高血圧と最低血圧の差を視覚的に把握するためのものである。例えば、低血圧側指示針２２８がＡ領域に位置する場合は、血圧差が小さすぎると判断され、Ｂ領域に位置する場合は適度な血圧差、Ｃ領域に位置する場合は血圧差が大きすぎる等、最高血圧と最低血圧の相対的な分析が、瞬時に理解できるようになっている。
【００５６】
従って、この第２実施形態の血圧値表示装置２１０によれば、高血圧側数値領域２２４Ｂ及び低血圧側数値領域２２４Ｃによって、最高血圧と最低血圧の個々の分析を視覚的に行いつつ、それらの相対的な分析も同時にできることになる。なお、この血圧差表示プレート２２６は、短針となる低血圧側指示針２２８側と連動するようにしてもよい。
【００５７】
以上、第１及び第２実施形態では、本発明の実施の形態の一例を示したが、本発明でいう最高血圧指示部及び最低血圧指示部を、本第１実施形態に対応させると、血圧計測装置１における停止ボタン３０がその一部に相当することになる。即ち、停止ボタン３０は、最高血圧指示部と最低血圧指示部の一部であり、両指示部によって兼用されていることになる。なお、本実施形態では、最高及び最低血圧タイミングの指示を手動で実行するようにしているが、本発明はそれに限定されず、自動計測によって機械的・電子的に計測されたタイミングによって、自動的に最高及び最低血圧指示を出力するようにしても構わない。
【００５８】
更に、本発明でいう高血圧側連動機構を本第１実施形態に対応させると、第１係合部材８０及び第１駆動体９０等に相当するものである。具体的にこれらは、回転基本軸７８の回転と高血圧側指示針２６の回転を連動させる機能を有している。同様に、低血圧側連動機構に対応するのは、第２係合部材８２及び第２駆動体１００等であり、回転基本軸７８の回転と低血圧側指示針２８の回転を連動させる機能を有している。また、本発明における高血圧側及び低血圧側連動機構における一方向係合手段とは、本第１実施形態に対応させると、ラチェット機構を有する第１及び第２ベアリング９１、１０１に相当するものである。なお、一方向係合手段は、ラチェット機構に限定されるものではなく、内側と外側とが一方向の回転位相差である場合に内側と外側が係合し、他方向の回転位相差の場合に係合が開放される構造であれば、他の機構であっても構わない。また、本発明の付勢手段とは、本第１実施形態に対応させると第１及び第２渦巻きばね９６、１０６に相当するものである。
【００５９】
又更に、本発明でいう運動変換手段は、第１実施形態に対応させると、ダイヤフラム６０、変換軸６２、揺動部分歯車６８、スライド歯車７２等に相当する。また、高血圧側連動解除機構は、本第１実施形態に対応させると、ラチェット機構を有する第１ベアリング９１や、ブレーキ手段となる第１ブレーキリング９２及び第１ブレーキパッド９５等に相当するものであり、停止ボタン３０を介した最高血圧指示に基づいて、上記高血圧側連動機構の連動状態を解除することを可能としている。同様に、本発明の低血圧側連動解除機構は、ラチェット機構を有する第２ベアリング１０１や、ブレーキ手段となる第２ブレーキリング１０２及び第２ブレーキパッド１０５等が相当するものであり、停止ボタン３０を介した最低血圧指示に基づいて、上記低血圧側連動機構の連動状態を解除することが可能となっている。
【００６０】
又、本発明におけるリセット機構を、本第１実施形態に対応させると、リセットボタン３２、第１及び第２ブレーキパッド９５、１０５及び第１及び第２渦巻きばね９６、１０６等が相当する。更に、本発明におけるリセット機構の軸方向移動手段は、本実施形態におけるリセットカム９０とリセット突起７２Ａがそれに対応する
【００６１】
なお、本実施例では、血圧測定方法として、カフを上腕に巻きつけるものを示したが、本発明はそれに限定されず、手首近傍や指等を圧迫する事で、その脈の応答状態から計測する場合等、他の各種測定方法を含むものである。また、本実施形態では、血圧値表示装置として実際の針が機械的に回転する場合に限って示したが、本発明はそれに限定されず、液晶ディスプレイ等の画像表示手段によって、同様な状態を映像によって映し出す場合も含むものである。
【００６２】
また本発明については、上記実施形態に限定されるものではなく、本発明の要旨を逸脱しない範囲で適宜変更することは勿論可能である。
【産業上の利用可能性】
【００６３】
本発明によれば、血圧計測の際の利便性を向上させることができ、瞬時に計測結果の分析・検討が可能になる。本発明は、各種血圧計測装置に適用可能なものである。
【図面の簡単な説明】
【００６４】
【図１】第１実施形態にかかる血圧計測装置の全体構成を示す図
【図２】同血圧計測装置の血圧値表示装置を拡大して示す平面図
【図３】同血圧値表示装置を拡大して示す断面図
【図４】図３におけるＩＶ−ＩＶ矢視断面図
【図５】同血圧値表示装置を部分的に拡大して示す断面図
【図６】同血圧値表示装置を部分的に拡大して示す断面図
【図７】同血圧値表示装置の第１及び第２駆動体を拡大して示す斜視図
【図８】同血圧値表示装置の（Ａ）第１駆動体、（Ｂ）第２駆動体を拡大して示す平面図
【図９】同血圧値表示装置の使用中の指示針の動きを示す平面図
【図１０】同血圧値表示装置の使用中の指示針の動きを示す平面図
【図１１】同血圧値表示装置の使用中の指示針の動きを示す平面図
【図１２】第２実施形態にかかる血圧値表示装置を示す平面図
【符号の説明】
【００６５】
１                ・・・血圧計測装置
１０、２１０      ・・・血圧値表示装置
１２              ・・・カフ
１４              ・・・ポンプ
２０              ・・・外部ケーシング
２４、２２４      ・・・血圧表示盤２４
２６、２２６      ・・・高血圧側指示針
２８、２２８      ・・・低血圧側指示針
３０              ・・・停止ボタン
３２              ・・・リセットボタン
６０              ・・・ダイヤフラム
６２              ・・・変換軸
６８              ・・・揺動部分歯車
７０              ・・・スライド軸
７２              ・・・スライド歯車
７８              ・・・回転基本軸
８０              ・・・第１係合部材
８２              ・・・第２係合部材
９０              ・・・第１駆動体
９１              ・・・第１ベアリング
１００            ・・・第２駆動体
１０１            ・・・第２ベアリング
【図１】
0004810149.tif 000002
【図２】
0004810149.tif 000003
【図３】
0004810149.tif 000004
【図４】
0004810149.tif 000005
【図５】
0004810149.tif 000006
【図６】
0004810149.tif 000007
【図７】
0004810149.tif 000008
【図８】
0004810149.tif 000009
【図９】
0004810149.tif 000010
【図１０】
0004810149.tif 000011
【図１１】
0004810149.tif 000012
【図１２】
0004810149.tif 000013